(57)【要約】【課題】  簡単な構成と操作で、ジョブ印刷に伴う印刷状態の検品処理と、再印刷された印刷物に対する差し替えまたは挿入を効率よく行うことである。【解決手段】  クライアントＰＣ１２から受信する印刷ジョブを蓄積した後、印刷処理手段で印刷処理された用紙の画像情報を読み取る（Ｓ４０３）。そして、読み取られる印刷用紙の画像情報と、該印刷用紙に対応する蓄積されたジョブから作成されるビットマップイメージとを比較して印刷状態の良否を判定する（Ｓ４０５。そして、印刷用紙の画像情報の印刷状態が悪いと判定された場合、プリンタユニットによる当該印刷用紙に対するビットマップイメージの再印刷処理が完了するまで、スキャナユニットにより読み取らせるべく次ページに対する印刷用紙の読み取りを待機させる制御を行う（Ｓ４０６〜Ｓ４１５）特徴とする。【選択図】  図８
2008160284.tif 000002
【特許請求の範囲】
【請求項１】
複数ページの画像データを含む印刷ジョブを入力する入力手段と、
前記入力手段が入力した印刷ジョブを蓄積する蓄積手段と、
前記蓄積手段が蓄積した印刷ジョブに含まれる複数ページの画像データに基づいて、複数枚の用紙に印刷処理をする印刷処理手段と、
前記印刷処理手段で印刷処理された複数枚の用紙を１枚ずつ読み取ってページ単位の画像データを取得する画像読取手段と、
前記画像読取手段が取得したページ単位の画像データと、該画像データに対応する前記蓄積手段に蓄積された画像データとを比較して、印刷処理状態の良否をページ単位で判定する判定手段と、
特定ページの前記印刷処理状態が悪いと前記判定手段が判定した場合、前記印刷処理手段に前記特定ページの画像データに基づく再印刷処理をさせるとともに、前記印刷処理手段による前記再印刷処理が完了するまで、前記画像読取手段による前記特定ページに引き続くページの読み取りを待機させるよう制御する制御手段と、
を有することを特徴とする印刷処理装置。
【請求項２】
前記画像読取手段は、前記印刷処理手段で印刷処理された用紙を読み取り位置へ給送するとともに、読み取りが終了した後に排紙先に排紙する原稿給送部を有し、
前記制御手段は、前記印刷処理手段による前記再印刷処理が完了するまで、前記原稿給送部による前記特定ページに引き続くページの前記読み取り位置への給送を待機させることを特徴とする請求項１記載の印刷処理装置。
【請求項３】
前記特定ページの前記印刷処理状態が悪いと前記判定手段が判定した場合、前記判定手段による判定結果を通知する通知手段を有することを特徴とする請求項１又は２記載の印刷処理装置。
【請求項４】
前記通知手段は、前記再印刷処理により再印刷された用紙を前記画像処理装置の操作者に前記原稿給送部へ載置させるために通知することを特徴とすることを特徴とする請求項１又は２記載の印刷処理装置。
【請求項５】
複数ページの画像データを含む印刷ジョブを入力する入力工程と、
前記入力工程が入力した印刷ジョブを蓄積部に蓄積する蓄積工程と、
前記蓄積部に蓄積された印刷ジョブに含まれる複数ページの画像データに基づいて、複数枚の用紙に印刷処理をする印刷処理工程と、  前記印刷処理工程で印刷処理された複数枚の用紙を１枚ずつ読み取ってページ単位の画像データを取得する画像読取工程と、
前記画像読取工程が取得したページ単位の画像データと、該画像データに対応する前記蓄積部に蓄積された画像データとを比較して、印刷処理状態の良否をページ単位で判定する判定工程と、
特定ページの前記印刷処理状態が悪いと前記判定工程が判定した場合、前記特定ページの画像データに基づく再印刷処理を実行するとともに、前記再印刷処理が完了するまで、前記画像読取工程による前記特定ページに引き続くページの読み取りを待機させるよう制御する制御工程と、
を有することを特徴とする印刷処理方法。
【請求項６】
前記印刷処理工程で印刷処理された用紙を読み取り位置へ給送するとともに、読み取りが終了した後に排紙先に排紙する動作を原稿給送部に実行させる給送工程を有し、
前記制御工程は、前記再印刷処理が完了するまで、前記給送工程による前記特定ページに引き続くページに対応する用紙の給送を待機させることを特徴とする請求項５記載の印刷処理方法。
【請求項７】
前記特定ページの前記印刷処理状態が悪いと前記判定工程が判定した場合、前記判定工程による判定結果を通知する通知工程を有することを特徴とする請求項５又は６記載の印刷処理方法。
【請求項８】
前記通知工程は、前記印刷処理方法を実行する印刷装置の操作者に、前記再印刷処理により再印刷された用紙を前記原稿給送部へ載置させるために通知することを特徴とするとを特徴とする請求項５又は６記載の印刷処理方法。
【発明の詳細な説明】
【技術分野】
【０００１】
本発明は、印刷処理装置及び印刷処理方法に関するものである。
【背景技術】
【０００２】
従来から、印刷物の印刷処理状態の良否を判定する技術が知られている。
【０００３】
例えば、下記に示す特許文献１では、用紙上に印刷処理された画像をリニアイメージセンサなどの画像読取装置によって読み取って電子データに変換する。そして、印刷処理に用いた原画像の電子データと読み取った電子データを照合して、印刷処理状態の良否の判定を行う。そして、印刷処理状態の悪い用紙を再印刷する。
【特許文献１】特開平10-145530号公報
【発明の開示】
【発明が解決しようとする課題】
【０００４】
特許文献１は、複数ページの画像データに基づいて印刷処理がされた複数枚の用紙を画像読取装置により読み取る。そして、複数枚の用紙を読み取った上で、原画像となった画像データとの照合を行う。この方法では、印刷処理状態が悪く再印刷処理された用紙を、画像読取装置が読み取った複数枚の用紙の何れかと差し換える処理を、画像読取装置の操作者が行うこととなる。
【０００５】
このため、差し換え（挿入）の作業が面倒であるとともに、人為的ミスが発生する可能性がある。
【０００６】
さらに、特許文献１は、複数枚の用紙を全て読み取った後に原画像との照合を行うので、読み取った画像データを蓄積するメモリの容量が小さいと、枚数の多い印刷物には対応できないという問題もあった。
【０００７】
本発明は、上記の課題を解決するためになされたもので、本発明の目的は、印刷処理状態が悪いページの再印刷処理をして良好な印刷物を作成するにあたって、印刷処理装置の操作者に再印刷処理された用紙の差し換えを容易に行わせることができる印刷処理装置及び印刷処理方法を提供することである。
【課題を解決するための手段】
【０００８】
上記目的を達成する本発明の印刷処理装置は、複数ページの画像データを含む印刷ジョブを入力する入力手段と、前記入力手段が入力した印刷ジョブを蓄積する蓄積手段と、前記蓄積手段が蓄積した印刷ジョブに含まれる複数ページの画像データに基づいて、複数枚の用紙に印刷処理をする印刷処理手段と、前記印刷処理手段で印刷処理された複数枚の用紙を１枚ずつ読み取ってページ単位の画像データを取得する画像読取手段と、前記画像読取手段が取得したページ単位の画像データと、該画像データに対応する前記蓄積手段に蓄積された画像データとを比較して、印刷処理状態の良否をページ単位で判定する判定手段と、特定ページの前記印刷処理状態が悪いと前記判定手段が判定した場合、前記印刷処理手段に前記特定ページの画像データに基づく再印刷処理をさせるとともに、前記印刷処理手段による前記再印刷処理が完了するまで、前記画像読取手段による前記特定ページに引き続くページの読み取りを待機させるよう制御する制御手段とを有することを特徴とする。
【０００９】
上記目的を達成する本発明の印刷処理方法は、複数ページの画像データを含む印刷ジョブを入力する入力工程と、前記入力工程が入力した印刷ジョブを蓄積部に蓄積する蓄積工程と、前記蓄積部に蓄積された印刷ジョブに含まれる複数ページの画像データに基づいて、複数枚の用紙に印刷処理をする印刷処理工程と、前記印刷処理工程で印刷処理された複数枚の用紙を１枚ずつ読み取ってページ単位の画像データを取得する画像読取工程と、前記画像読取工程が取得したページ単位の画像データと、該画像データに対応する前記蓄積部に蓄積された画像データとを比較して、印刷処理状態の良否をページ単位で判定する判定工程と、特定ページの前記印刷処理状態が悪いと前記判定工程が判定した場合、前記特定ページの画像データに基づく再印刷処理を実行するとともに、前記再印刷処理が完了するまで、前記画像読取工程による前記特定ページに引き続くページの読み取りを待機させるよう制御する制御工程とを有することを特徴とする。
【発明の効果】
【００１０】
本発明によれば、印刷処理状態が悪いページの再印刷処理をして良好な印刷物を作成するにあたって、印刷処理装置の操作者に再印刷処理された用紙の差し換えを容易に行わせることができる印刷処理装置及び印刷処理方法を提供することができる。
【発明を実施するための最良の形態】
【００１１】
次に本発明を実施するための最良の形態について図面を参照して説明する。  
＜システム構成の説明＞
〔第１実施形態〕
図１は、第１実施形態を示す画像処理システム（印刷処理システム）の構成を説明するブロック図である。本例は、クライアントＰＣ１２とＭＦＰ１１とがネットワーク１３を介して画像処理（印刷処理）を行う画像処理システム例である。
【００１２】
図１に示すクライアントＰＣ１２において、ＣＰＵ２１は、内部バス２８で接続される各デバイスを直接或いは間接的に制御して、印刷ジョブを生成してＭＦＰ１１に送信する処理などクライアントＰＣ１２の動作を実現するためのプログラムを実行する。ここで、各デバイスとは、後述のＲＯＭ２２やＲＡＭ２３等が含まれる。
【００１３】
ＲＯＭ２２は、ＢＩＯＳ（Ｂａｓｉｃ  Ｉｎｐｕｔ／Ｏｕｔｐｕｔ  Ｓｙｓｔｅｍ）等の基本ソフトウエアを格納する。ＲＡＭ２３は、ＣＰＵ２１のワーク領域として利用される。
【００１４】
また、ＲＡＭ２３には、アプリケーションプログラムをロードするためにデータが一時的に記憶される。ＨＤＤ（ハードディスクドライブ）２４は、プログラムをファイルとして格納している。
【００１５】
入力装置２５は、ユーザインタフェースであり、例えばプログラムの中で操作画面がモニタ２６に表示された際に、その操作画面に対するユーザの操作を入力するためのものである。モニタ２６は、前記操作画面等を表示する。インターフェース（Ｉ／Ｆ）２７は、クライアントＰＣ１２と、ネットワーク１３とを相互に接続するためのである。
【００１６】
続いて、図１に示すＭＦＰ１１は、ネットワーク１３を介して、コンピュータ端末へ印刷サービス、スキャンサービス、ストレージサービス、及び送信サービス等を提供するネットワーク対応型のＭＦＰである。ここで、送信サービスとは、ＦＡＸ送信、電子メール送信、及びファイル転送等をいう。
【００１７】
ＭＦＰ１１は、例えば、通信装置３１、ＣＰＵ３２、メモリ３３、記憶装置３４、画像処理装置３５、スキャナユニット３６、プリンタユニット３７、及びオペレーションパネル３８等から構成されている。
【００１８】
ＣＰＵ３２は、画像処理装置３５における種々の機能を実現するためのプログラムを実行する。
【００１９】
具体的には、ＣＰＵ３２は、第１実施形態におけるＭＦＰ１１の動作を実現するためのプログラムであるＭＦＰエージェント３０１を記憶装置３４から読み出す。そして、ＣＰＵ３２は、読み出したプログラム（ＭＦＰエージェント３０１）を、メモリ３３をワーク領域として実行する。また、オペレーションパネル３８は、ユーザインタフェースであり、タッチパネルの機能を備えている。４０は自動原稿給送装置（ＡＤＦ）で、原稿台に載置された原稿束より原稿を１枚ずつ分離して、ＭＦＰ１１のスキャナユニット３６のプラテン上に原稿を給送する。そして、スキャナユニット３６の光学走査ユニットによりプラテン上に載置された原稿の画像を読み取ると、プラテン上に載置された原稿をプラテン上からＡＤＦ４０上の排紙先となる排紙トレイに排出する。
【００２０】
ここで、ＡＤＦ４０に載置される原稿束は、プリンタユニット３７で印刷処理された出力用紙となる場合がある。つまり、後述するようなプリンタユニット３７で印刷された特定ページの印刷処理状態を画像処理により判定する場合には、印刷済みの用紙の給送を制御する。本実施形態では、ＡＤＦ４０は、スキャナユニット３６で読み取りされた後の原稿を排紙トレイに排出する原稿給送処理を実行可能に構成されている。
【００２１】
また、ＣＰＵ３２は、ＡＤＦ４０の原稿給送処理は、印刷処理された用紙をスキャナユニット３６のモードで決定される読み取り位置へ給送する。そして、ＣＰＵ３２は、スキャナユニット３６で、印刷済みの用紙の読み取りが終了した後に、読み取りが終了した用紙を排紙先に排紙するように制御している。
【００２２】
また、ＣＰＵ３２は、図８に示す処理において、印刷処理済みの用紙の画像と、蓄積された対応するページの画像との比較に基づく良否判定を行う。そして、ＣＰＵ３２は、特定ページの画像データの良否判定結果により、印刷処理済みの特定ページの用紙の画像が悪いページと判定した場合は、悪いと判定したページをプリンタユニット３７で再印刷する処理が完了するまで、ＡＤＦ４０上から次の印刷済みの用紙の給送を待機させる。
【００２３】
なお、原稿読み取りは、流し込みモードと、通常モードとがあり、流し込みモードでは、スキャナユニット３６の光学走査ユニットが所定位置に停止した上で、露光ランプが点灯し、順次搬送される原稿の画像を読み取るモードである。また、通常モードとは、ＡＤＦから給送される原稿をプラテン上に載置した状態で、スキャナユニット３６の光学走査ユニットが自走して原稿を読み取るモードである。なお、本実施形態では、流し込みモードで、検品処理を行うものとする。
【００２４】
図２は、図１に示したＭＦＰ１１による画像検品処理並びに画像補完処理を説明する模式図である。（Ａ）は検品処理に対応し、（Ｂ）は補完処理に対応する。
【００２５】
図２は、ＭＦＰ１１を印刷処理装置及び画像検査装置として利用して検品処理及び補完処理をする例を説明する図である。図２の（Ａ）は、ＭＦＰ１１の記憶装置３４に蓄積されている複数ページの画像データ（ＩＭ１〜ＩＭ４の４ページ分の画像データ）を用いて、ＩＭ１〜ＩＭ４に基づいて印刷処理した用紙である検品対象原稿ＯＲ１〜ＯＲ４を検品処理する例を示している。ここで、ＩＭ１〜ＩＭ４は、クライアントＰＣ１２からＭＦＰ１１の通信装置３１に送信された印刷ジョブを、ＣＰＵ３２がプリンタユニット３７にて印刷可能な形式（例えば、ビットマップ形式）の画像データに変換したものである。
【００２６】
また、検品対象原稿ＯＲ１〜４は、ＣＰＵ３２がクライアントＰＣ１２から受信した印刷ジョブを変換して得た画像データをプリンタユニット３７で印刷した印刷物である。そして、この印刷物が、印刷処理状態が判定される検品対象としてＡＤＦ４０の原稿台にセットされる。
【００２７】
スキャナユニット３６によりページ単位の画像データとして読み取られた検品対象原稿ＯＲ１〜４と、例えば記憶装置３４に記憶された検品対象の印刷ジョブから生成される画像データＩＭ１〜ＩＭ４との画像とを比較して、検品対象原稿ＯＲ１〜４に印刷処理状態が悪い（異常がある）かどうかをＣＰＵ３２が制御プログラムを実行することで判定する。
【００２８】
ここで、例えばＣＰＵ３２が検品対象原稿ＯＲ３に対応して記憶された画像データＩＭ３との比較で、印刷処理状態が悪い（異常）であると判定した場合、ＣＰＵ３２はスキャナユニット３６による読み取り動作を一時停止して検品対象原稿ＯＲ４の読み取りを待機させる。
【００２９】
そして、ＣＰＵ３２は、図２の（Ｂ）に示すように、ＭＦＰ１１の内部記憶装置に保管してある検品対象の印刷ジョブの中から印刷処理状態が悪いと判定されたページに対応する画像データＩＭ３について、再印刷処理をプリンタユニット３７に指示する。これにより、印刷処理状態が悪いページの差し替え（又は不足ページ挿入）などの適切な補完動作を行う。この際、ＣＰＵ３２は、オペレーションパネル３８に、図７に示すような検品対象原稿ＯＲ３の印刷処理状態が悪いことを通知するメッセージを表示させる。また、ＣＰＵ３２は、検品対象原稿ＯＲ３と差し替える用紙を作成するために、画像データＩＭ３による再印刷処理を実行するための指示をユーザに入力させるためのメッセージをオペレーションパネル３８に表示させる。
【００３０】
ここで、内部記憶装置とは、メモリ３３、記憶装置３４が含まれる。
【００３１】
第１実施形態では、図２の（Ａ）に示すように、印刷処理状態が悪いと判定される検品対象原稿ＯＲ３以降の検品対象原稿ＯＲ４のスキャナユニット３６による読み取り処理を停止させる。つまり、検品対象原稿ＯＲ３の印刷処理状態が悪い（異常）ことが判定された時点で、以降の検品対象原稿ＯＲ４のスキャナユニット３６による読み取り処理を待機させる。
【００３２】
この際、ＣＰＵ３２は、検品対象原稿ＯＲ３を、後述する廃棄用のトレイに排出させる排紙制御を実行する。その後、ＣＰＵ３２は、図２の（Ｂ）に示すように、記憶装置３４に記憶された印刷ジョブに含まれる複数ページの画像データの中から印刷処理状態が悪いと判定されたページに対応する画像データＩＭ３を取得して、画像データＩＭ３の再印刷をプリンタユニット３７に指示する。
【００３３】
つまり、検品完了済みの検品完了印刷物ＰＯ１，２の後に、補完印刷された検品完了印刷物ＣＯ３を図７に示すメッセージに従ってＭＦＰ１１の操作者による操作でＡＤＦ４０の排紙台に差し替えが行われる。
【００３４】
続いて、ＣＰＵ３２は、検品対象原稿ＯＲ４のスキャナユニット３６による原稿読み取りを開始させる。なお、検品完了印刷物ＰＯ１，２は、検品対象原稿ＯＲ１，２と同じものであるが、検品完了印刷物であることを示すため、符号を変えて表記している。
【００３５】
〔画像処理装置の構成〕
図３は、図１に示したＭＦＰ１１の構成を説明する断面図である。
【００３６】
図３において、４０は自動原稿送り装置（ＡＤＦ）で、原稿給送台に載置された原稿束から原稿を１枚ずつＭＦＰ１１の原稿台（プラテンガラス）２００１に給送する。２００２はスキャナで、原稿照明ランプ２００３や走査ミラー２００４等で構成される。
【００３７】
このスキャナ２００２は、モータにより所定方向に往復駆動されて原稿を走査し、走査ミラー２００４〜２００６を介しレンズ２００７を透過して原稿からの反射光をイメージセンサ部２００８内のＣＣＤイメージセンサ（ＣＣＤ）に結像する。
【００３８】
イメージセンサ部２００８は、原稿からの反射光を電気信号に変換したものに所定の画像処理を施して画像信号を生成する。２００９は露光制御部で、レーザ発生部やポリゴンスキャナ等で構成され、イメージセンサ部２００８で生成された画像信号に基づいて変調されたレーザ光２０１９を生成し感光体ドラム２０１１に照射する。
【００３９】
２０１０は画像形成部で、感光体ドラム２０１１と、感光体ドラム２０１１の回りに配置される１次帯電器２０１２，現像器２０１３，転写帯電器２０１６，分離帯電器２０１７，前露光ランプ２０１４，クリーナ装置２０１５等から構成される。
【００４０】
画像形成部２０１０において、感光体ドラム２０１１は、モータにより駆動され、図中矢印Ａに示す方向に回転する。１次帯電器２０１２は、感光体ドラム２０１１を所定の電位に帯電する。１次帯電器２０１２により帯電された感光体ドラム２０１１上には露光制御部２００９で生成されたレーザ光２０１９が照射され、静電潜像が形成される。現像器２０１３は、感光体ドラム２０１１上に形成された静電潜像を現像し、感光体ドラム２０１１上の静電潜像をトナー像として可視化する。
【００４１】
２０２１は第１カセット，２０２２は第２カセット，２０２３は第３カセット，２０２４は第４カセットで、記録媒体としての転写紙を収納する。
【００４２】
第１カセット２０２１，第２カセット２０２２，第３カセット２０２３あるいは第４カセット２０２４に収納される転写紙は、ビックアップローラ２０２５，２０２６，２０２７，２０２８により拾い上げられる。その後、給紙ローラ２０２９，２０３０，２０３１，２０３２によりＭＦＰ１１に送られ、レジストローラ２０３３により画像形成部２０１０に搬送される。
【００４３】
転写帯電器２０１６は、感光体ドラム２０１１上の可視化されたトナー像を搬送されてきた転写紙に転写する。クリーナ装置２０１５は、転写紙にトナー像を転写した後の感光体ドラム２０１１上の残留トナーを清掃する。前露光ランプ２０１４は、クリーナ装置２０１５による残留トナー清掃後の感光体ドラム２０１１上の残留電荷を消去する。
【００４４】
分離帯電器２０１７は、トナー像が転写された後の転写紙を感光体ドラム２０１１から分離する。２０３４は搬送ベルトで、分離帯電器２０１７により分離された転写紙を定着器２０３５に搬送する。定着器２０３５は、転写紙を加圧及び加熱することによりトナー像を転写紙に定着する。２０３６は排出ローラで、定着器２０３５によりトナー像が定着された転写紙をＭＦＰ１１の外に排出する。
【００４５】
２０３７は排紙フラッパで、搬送パス２０３８側と排出パス２０４３側のいずれかに転写紙の転送経路を切り替える。２０４０は下搬送パスで、排紙ローラ２０３６，反転ローラ２０４５により搬送され、反転パス２０３９を介して裏返された転写紙を再給紙パス２０４１に導く。
【００４６】
２０４２は再給紙ローラで、再給紙パス２０４１に導かれた転写紙を画像形成部２０１０に再給紙する。２０４４は排出ローラで、排紙フラッパ２０３７の近傍に配置され、この排紙フラッパ２０３７により排出パス２０４３側に切り替えられた際に搬送される転写紙を機外に排出する。
【００４７】
なお、このＭＦＰ１１において、両面記録（両面複写）を行うときには、排紙フラッパ２０３７を上方に上げられる。その後、複写済みの転写紙を搬送パス２０３８，反転パス２０３９，下搬送パス２０４０を介して再給紙パス２０４１に導く。
【００４８】
このとき、反転ローラ２０４５によって転写紙の後端が搬送パス２０３８から全て抜け出し、かつ反転ローラ２０４５に転写紙が噛んだ状態の位置まで転写紙を反転パス２０３９に引き込む。それから反転ローラ２０４５を逆転させることによって下搬送パス２０４０に送り出す。
【００４９】
また、ＭＦＰ１１から転写紙を反転して排出する時には、排紙フラッパ２０３７を上方へ上げ、反転ローラ２０４５によって転写紙の後端が搬送パス２０３８に残った状態の位置まで反転パス２０３９に引き込む。そして、反転ローラ２０４５を逆転させることによって、転写紙を裏返して排出ローラ２０４４側に送り出す。
【００５０】
２０９０は排紙処理装置（ソータ）で、ＭＦＰ１１から排出された転写紙をそろえて閉じる（ステイプルを行う）ものであり、一枚毎に排出される転写紙を処理トレイ２０９４で積載して揃える。そして、一部（一束）分の画像形成の排出が終了したら、転写紙束を処理トレイ２０９４内の不図示のステイプラでステイプルして排紙トレイ２０９２、又は排紙トレイ２０９３に束で排出する。
【００５１】
排紙トレイ２０９３，２０９４は不図示のモータで上下に移動制御され、画像処理動作開始前に処理トレイ２０９４の位置になるように移動する。
【００５２】
２０９１は用紙トレイで、排出された転写紙の間に挿入する区切り紙を積載する。２０９５はＺ折り機で、排出された転写紙をＺ折りにする装置である。また、２０９６は製本機で、排出された転写紙の一部（一冊）分をまとめてセンタ折りしステイプルを行うことによって製本を行い、製本された紙束は排出トレイ２０９７に排出される。
【００５３】
なお、ＭＦＰ１１には、例えば４０００枚の転写紙を収納し得るペーパデッキ２０５０が装備されている。ペーパデッキ２０５０のリフタ２０５１は、ピックアップローラ２０５２に転写紙が常に当接するように転写紙の量に応じて上昇し、転写紙は給紙ローラ２０５３によって本体に送られる。また、１００枚の転写紙を収容し得るマルチ手差し２０５４が装備されている。
【００５４】
また、現像器２０１３は、トナーカセットを交換することによりトナー補充を行うものであっても、現像器２０１３内に直接トナーを補充可能なものであってもよい。さらに、現像器２０１３は、現像器２０１３内のトナー残量を検出可能である。
【００５５】
また、ここでは、画像出力装置の一例としてモノクロ複写機の構成を説明したが、カラー複写機であってもよい。
【００５６】
この場合、現像器２０１３は、イエロー（Ｙ），マゼンタ（Ｍ），シアン（Ｃ），ブラック（Ｂｋ）の４つの現像部により構成されることになる。また、現像器２０１３は、イエロー（Ｙ），マゼンタ（Ｍ），シアン（Ｃ），ブラック（Ｂｋ）各種トナー残量を個別に検出可能である。
【００５７】
さらに、ＭＦＰ１１は、第１〜第４カセットおよびペーパデッキ２０５０に、それぞれ収納される転写紙の残量を検出可能である。また、排紙処理装置（ソータ）２０９０は、転写紙束を処理トレイ２０９４内に収納されるステイプル針の残量を検出可能である。さらに、排紙処理装置（ソータ）２０９０，Ｚ折り機２０９５，ペーパデッキ２０５０はオプション装置でＭＦＰ１１に着脱可能に装着されている。
【００５８】
また、印刷ジョブに後述する検品ＪＯＢ補完モードが指定されている場合、ＭＦＰ１１が受信した印刷ジョブは、記憶装置３４にＰＤＬデータとして保管されるため、記憶装置３４で使用するメモリ容量は小さく済む。また、ＣＰＵ３２は、記憶装置３４に蓄積された印刷ジョブに含まれる画像データとスキャナユニット３６により読み取られた画像データとの比較で印刷処理状態が悪いと判定する場合がある。この場合、ＣＰＵ３２は、オペレーションパネル３８上に、図７に示すメッセージを表示して、プリンタユニット３７により補完印刷される印刷物を既に検品した原稿に正しく挿入されるような表示をする。
【００５９】
つまり、第１実施形態で、ＣＰＵ３２は、ＡＤＦ４０により給送された検品対象の印刷物を読み取って得た画像データに基づいた判定が印刷処理状態が悪いことを示す場合、ユーザにその旨を通知する。
【００６０】
具体的には、不良判定されている印刷用紙の解除状態と、プリンタユニット３７による再印刷状態とに基づいて、オペレーションパネル３８に再印刷処理操作を完了させるための異なるメッセージ７５０１〜７５０３を通知する。
【００６１】
なお、ＣＰＵ３２は、図８に示すように、スキャナユニット３６により読み取られる用紙に対応する画像データと、その用紙に対応する画像データであって、記憶装置３４に蓄積された画像データとを比較する。これにより、ＣＰＵ３２は、検品対象の印刷物の印刷状態の良否を判定する。
【００６２】
そして、ＣＰＵ３２により印刷処理状態が悪いと判定された場合、プリンタユニット３７による再印刷処理が完了するまで、スキャナユニット３６による次ページの読み取りを待機させる。
【００６３】
図４は、図１に示したＭＦＰ１１上で動作するソフトウェアモジュールの構成を示す図である。
【００６４】
図４において、ＭＦＰ１１の基本モジュール３０２上で、ＭＦＰエージェント３０１が動作しており、ＭＦＰエージェントは、本発明におけるＭＦＰ１１の動作を実現するためのプログラムである。ここで、基本モジュール３０２とは、いわゆるコントローラと呼ばれるモジュール群を意味する。
【００６５】
クライアントＰＣ１２にて、図５に示すプリンタドライバのページ設定画面の出力方法を示す項目Ｉより検品ＪＯＢ保管が指定される。
【００６６】
図５は、図１に示したＰＣ１２のＨＤ２４にインストールされているプリンタドライバが提供する印刷設定画面の一例を示す図である。本例では、ＭＦＰ１１に対するプリンタドライバを、例えばアプリケーション起動中の印刷要求がなされると、本画面がモニタ２６に表示される。
【００６７】
図５に示す画面は、ユーザによる入力装置２５の操作指示に基づいてタブシートＴＡＢ１〜ＴＡＢ４を選択することで、タブシートＴＡＢ１〜ＴＡＢ４に対応する印刷設定を行えるように構成されている。
【００６８】
ここで、タブシートＴＡＢ１は、ページ設定用のシートで、出力方法、原稿サイズ、部数、出力用紙サイズ、印刷の向き、ページレイアウト、倍率指定、スタンプ指定等の設定を行うことができる。
【００６９】
ＢＴ１〜ＢＴ３はボタンで、ボタンＢＴ１は設定した内容を確定されるＯＫボタンとして機能し、ボタンＢＴ２は設定した内容を取り消すキャンセルボタンとして機能する。また、ボタンＢＴ３は、各設定項目等に関する内容を提示するヘルプボタンとして機能する。
【００７０】
図６は、図１に示したオペレーションパネル３８の一例を示す平面図である。
【００７１】
図６において、６３０１は電源スイッチで、本体への通電を制御する。６３０２は予熱キーで、予熱モードのＯＮ／ＯＦＦに使用する。６３０３はコピーＡモードキーで、複数の機能の中からコピーＡモードを選択するときに使用する。６３０４はコピーＢモードキーで、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。
【００７２】
６３０５はメールボックスキーで、複数の機能の中からメールボックスモードを選択するときに使用する。メールボックス機能とは、ユーザ個人や部署毎に複写機内のメモリに記憶領域を持ち、そこにＰＤＬやスキャン画像を入れておき、好きなときに出力する機能である。６３０６は拡張キーで、ＰＤＬに対する操作を行うときに使用する。これらのキー６３０３〜６３０６は、後述するＬＣＤタッチパネル６３１６の各々の機能画面を呼び出すときにも使用され、ＬＣＤタッチパネル６３１６の表示により各々のジョブの状況を見ることができる。
【００７３】
６３０７はコピースタートキーで、コピーの開始を指示するときに用いるキーである。６３０８はストップキーで、コピーを中断したり、中止したりするときに用いるキーである。６３０９はリセットキーで、スタンバイ中は標準モードに復帰させるキーとして動作する。６３１０はガイドキーで、各機能を知りたいときに使用するキーである。６３１１はユーザモードキーで、ユーザがシステムの基本設定を変更するときに使用する。６３１２は割り込みキーで、コピー中に割り込みしてコピーしたいときに用いる。
【００７４】
６３１３はテンキーで、数値の入力を行うときに使用する。６３１４はクリアキーで、テンキー６３１３により入力された数値をクリアするときに用いる。６３１５はＩＤキーで、複写機を使用する場合にＩＤの入力モードに移行するときに使用する。６３１６は液晶画面とタッチセンサの組合せからなるＬＣＤタッチパネルで、各モード毎に個別の設定画面が表示され、さらに描画されたキーに触れることで、各種の詳細な設定を行うことが可能である。また、各々のジョブの動作状況表示なども行う。６３１７はネットワークの通信状態を示すタリーランプで、通常緑色で、通信しているときは緑色で点滅し、ネットワークエラーの場合には赤色になる。
【００７５】
図７は、図６に示したＬＣＤタッチパネル６３１６に表示されるメッセージの一例を示す図である。
【００７６】
図７において、７５０１〜７５０３は、ＣＰＵ３２が検品対象原稿を読み取って印刷処理状態が悪いと判定された時に表示されるメッセージである。ユーザは、このメッセージ７５０１〜７５０３に従い、中断される検品処理に伴ってプリンタユニット３７で印刷される差し替え対象ページの印刷物を、ＡＤＦ中に排紙されている用紙に引き続く用紙として積載する。これにより、再印刷された用紙を差し替える際の差し替えミスを防止できる。
【００７７】
なお、７５０１ａ〜７５０３ａはＯＫボタンであり、そのメッセージを肯定する場合に確認として押下されることで、次のメッセージが表示される。そして、ＯＫボタン７５０３ａが押下されると、ＣＰＵ３２は、ＬＣＤタッチパネル６３１６に表示されるメッセージを消去して、標準画面または検品処理に対応した画面を表示する。
【００７８】
図８は、第１実施形態を示す印刷処理装置における第１のデータ処理手順の一例を示すフローチャートである。本例は、図４に示すＭＦＰ１１の基本モジュール３０２による検品処理例である。なお、S401〜S415は各ステップを示す。また、各ステップは、ＣＰＵ３２がメモリ３３に基本モジュール３０２を記憶装置３４からロードして実行することで実現される。
【００７９】
また、本処理は、前処理として検品ジョブをＭＦＰ１１の記憶装置３４へ保管しおく必要がある。
【００８０】
ここで、前処理とは、クライアントＰＣ１２にて図５に示したプリンタドライバが提供するユーザインタフェースを介して、出力方法、検品ジョブとして保管するか否かを指定して、印刷処理を実行する。これにより、印刷ＪＯＢ生成を行うと、生成した印刷ＪＯＢをネットワーク１３を介してＭＦＰ１１へ送信し、ＭＦＰ１１の記憶装置３４に検品ジョブとして保管を行う処理である。
【００８１】
一方、クライアントＰＣ１２にて図５に示したユーザインタフェースにより、出力方法、検品ジョブとして保管する旨が指定されていない場合は、転送された出力完了後、JOBはＭＦＰ１１の記憶装置３４に保管されることなく破棄される。このように、クライアントＰＣ１２から生成される印刷ジョブは、ＭＦＰ１１の通信装置３１を介して入力され、外部記憶装置３４に蓄積される。ここで、印刷ジョブは、複数のページで構成され、画像処理装置３５では、メモリ３３に展開される画像に、回転、拡大、縮小、トリミング、ｎｉｎ１等のレイアウト処理等を行う。
【００８２】
まず、Ｓ４０１で、ＭＦＰ１１の利用ユーザがオペレーションパネル３８を介して、検品モードへの切り替えを行い、Ｓ４０２で、検品対象の印刷物をＭＦＰ１１のＡＤＦ４０の原稿台へセットする。次に、Ｓ４０３で、ＣＰＵ３２は、スキャナユニット３６に原稿の読み取りを開始させ、Ｓ４０４ですべての原稿の読み取りが終了すると判断するまで、以下の動作をＭＦＰエージェント３０１が繰り返す。
【００８３】
Ｓ４０５で、ＣＰＵ３２はＭＦＰエージェント３０１を実行して、原稿を１枚ずつ読み取り解析を行う。
【００８４】
ここで、解析方法の一例として、ＭＦＰ１１の記憶装置３４に保管してある検品ジョブに含まれる画像データとスキャナユニット３６により読み取られる画像データとをメモリ３３上でパターンマッチングにより異常を検知する方法がとられる。
【００８５】
続いて、上記の解析結果に基づき、Ｓ４０６で、ＣＰＵ３２は、印刷処理状態が悪いか否かの判定を行い、印刷処理状態が良いと判断した場合は、Ｓ４０３へ戻り、次の原稿の読み取りを行う。
【００８６】
一方、Ｓ４０６で、原稿給送に伴い、原稿自体にしわ、汚れが発生したり、印字不良、ページ抜け等の印刷処理状態の異常を検知した場合は、ＣＰＵ３２による良否判定がＮＧとなる。
【００８７】
そこで、Ｓ４０７で、ＣＰＵ３２は、ＡＤＦ４０による原稿の読み取り動作を一時停止させ、Ｓ４０８で、オペレーションパネル３８上へ補完印刷実行を指示する図７に示したメッセージ７５０１を図６に示したＬＣＤタッチパネル６３１６に表示する。
【００８８】
次に、Ｓ４０９で、ＣＰＵ３２は、図６に示したＬＣＤタッチパネル６３１６に表示されたメッセージ５０１のＯＫボタン５０１ａが押下されたか否かの判定を行う。つまり、ＣＰＵ３２は、原稿異常となった原稿に対するユーザからの補完出力が実行指示されているか否かを判定する。
【００８９】
ここで、ＣＰＵ３２が図６に示したＬＣＤタッチパネル６３１６に表示されたメッセージ５０１のＯＫボタン５０１ａが押下されたらと判定したら、Ｓ４１０で、ＣＰＵ３２は、図９に詳細を示す補完出力処理を実行する（Ｓ４−１０）。
【００９０】
ここで、図９を用いて、補完出力処理の説明を行う。
【００９１】
図９は、本実施形態を示す印刷処理装置における第２のデータ処理手順の一例を示すフローチャートである。本例は、図４に示すMFPの基本モジュール３０２による検品処理例である。なお、Ｓ８０１〜Ｓ８０３は各ステップを示す。また、各ステップは、ＣＰＵ３２がメモリ３３に基本モジュール３０２を記憶装置３４からロードして実行することで実現される。
【００９２】
本実施形態に示す補完出力処理では、Ｓ８０１で、ＣＰＵ３２は、記憶装置３４に保管してあるＪＯＢより該当ページの検索を実行する。次に、Ｓ８０２で、ＣＰＵ３２は、Ｓ８０３で検索終了後、該当ページ部のみの再印刷をプリンタユニット３７に実行させ、本処理を終了する。
【００９３】
このようにして、Ｓ４１０に対応する上記の補完出力処理が完了すると、ＣＰＵ３２は、Ｓ４１１で、補完動作指示である図５のメッセージ５０２をオペレーションパネル３８へ表示する。ここで、図５のメッセージ５０２とは、例えば「ＡＤＦ４０のトレイの原稿と補完出力したら原稿の差し替え又は挿入を行ってから、続行ボタンを押下して下さい」を表示する。これにより、ユーザは、補完出力された印刷物をＡＤＦ４０のトレイ上に既に排紙積載された、適正な位置に挿入することができため、従来のような差し違いや差し違えミスを防止することができる。
【００９４】
次に、ＣＰＵ３２は、Ｓ４１２で、図６に示したＬＣＤタッチパネル６３１６に表示されたメッセージ５０２の続行ボタン５０２ａが押下されたか否かの判定を行う。つまり、ＣＰＵ３２は、ＡＤＦ４０に積載された検品原稿の読取り中断を解除して、スキャナユニット３６によるスキャン再開が指示されているかどうかを判定する。
【００９５】
そして、Ｓ４１３で、ＣＰＵ３２が続行ボタン５０２ａが押下されたことを検出したら、ユーザにより適切な補完動作（原稿の差し替え、または、挿入）が完了しているか否かの判定を行う。
【００９６】
ここで、ＣＰＵ３２が適切な補完動作が完了していると判断した場合は、Ｓ４０３へ戻り、ＡＤＦ４０から給送される検品原稿の読み取り動作を再開し、次の原稿を読み取る。
【００９７】
一方、Ｓ４１３で、ＣＰＵ３２が適切な補完動作が完了していないと判断した場合、すなわち、ＡＤＦ４０に備えるセンサにより、ＡＤＦ４０の排紙トレイ上にある補完出力した原稿が取り除かれていないと判断した場合Ｓ４１４へ進む。そして、Ｓ４１４で、ＣＰＵ３２は、オペレーションパネル３８上に配置される図６に示したＬＣＤタッチパネル６３１６に表示されたメッセージ５０３を表示する。そして、Ｓ４１５で、ＣＰＵ３２は、ＬＣＤタッチパネル６３１６に表示されたメッセージ５０３中に表示されるＯＫボタン５０３ａが押下されたかどうかを判断する。そして、ＣＰＵ３２は、ＯＫボタン５０３ａが押下されたことを検知したら、Ｓ４１１へ戻り、ＣＰＵ３２は、メッセージ５０２をＬＣＤタッチパネル６３１６に表示する。
【００９８】
つまり、Ｓ４１５で、ＯＫボタン５０３ａが押下されたことを検知したら、再度、補完動作指示のメッセージ５０２の表示へ戻り、適切な補完動作がなされるまでこの動作を繰り返す。
【００９９】
以上、これらの手順により、ＭＦＰ１１のスキャナユニット３６及びプリンタユニット３７を利用して印刷物の検品と補完処理とを一貫して行うことができる。
【０１００】
さらに、ＣＰＵ３２は、検品処理にて不良ページが発見された時点で、スキャナユニット３６読み取り動作を停止させ、補完出力する。これにより、印刷物の該当箇所へ確実に差し替え（又は挿入）できる。
【０１０１】
〔第２実施形態〕
第１実施形態では、ＭＦＰ１１が備えるスキャナユニット３６及びプリンタユニット３７を利用して印刷物の検品と補完処理とを一貫して行う場合について説明した。特に、検品で異常と判定された場合には、ＭＦＰ１１が備えるオペレーションパネル３８に図７に示したメッセージを表示して、ユーザに検品異常となった原稿の破棄と、破棄された原稿の差し替えを実行させる。そして、ジョブから再印刷されたと用紙の挿入あるいは差し替えをユーザに実行させる場合について説明した。
【０１０２】
これに対して、上記メッセージに代えて、音声ガイダンスをスピーカから音声出力することで、同様の操作をユーザに実行させるように制御してもよい。以下、その実施形態について説明する。
【０１０３】
図１０は、第２実施形態の印刷処理装置における第３のデータ処理手順の一例を示すフローチャートである。本例は、図４に示すＭＦＰ１１の基本モジュール３０２による検品処理例である。なお、Ｓ６０１〜Ｓ６１２は各ステップを示す。また、各ステップは、ＣＰＵ３２がメモリ３３に基本モジュール３０２を記憶装置３４からロードして実行することで実現される。
【０１０４】
図１１は、図１に示したＭＦＰ１１のオペレーションパネル３８に備える音声出力部より音声出力される音声ガイダンスの一例を示す図である。なお、音声出力部であるスピーカ等は、オペレーションパネル３８の一部として構成してもよいし、独立したチップ部品として、ＭＦＰ１１を操作するユーザが聞き取り易い位置に設ける構成としてもよい。
【０１０５】
図１１において、１１０１〜１１０３は音声ガイダンスであって、後述フローチャートの処理において、ＣＰＵ３２の制御により、ＲＯＭより音声データが読み出されて、音声変換処理部で処理されることで音声として出力される。なお、仕向け地を考慮して、音声出力される言語は、複数用意されており、セットアップ自に言語を指定することで、適切な言語の音声ガイダンスを行えるように構成されている。
【０１０６】
ここで、音声ガイダンス１１０１は、例えば「印刷物の異常を検知しました。スタートボタンを押下して下さい。補完印刷を実行します。」である。また、音声ガイダンス１１０１は、例えば「ＡＤＦトレイの原稿と補完出力した原稿の差し替え又は挿入を行ってからスタートボタンを押して下さい」である。
【０１０７】
さらに、音声ガイダンス１１０３は、例えば「適切な補完処理がなされていません。ガイダンスの指示に従って下さい。」である。なお、音声ガイダンス１１０３については、他の音声ガイダンス１１０３よりも、音声出力レベルを若干上げて、ユーザに注意を喚起するように音声ガイダンス出力制御を実行してもよい。
【０１０８】
また、本処理は、前処理として検品ジョブをＭＦＰ１１の記憶装置３４へ保管しおく必要がある。
【０１０９】
ここで、前処理とは、クライアントＰＣ１２にて図５に示したプリンタドライバが提供するユーザインタフェースを介して、出力方法、検品ジョブとして保管する旨を指定して、印刷処理を実行する。これにより、クライアントＰＣ１２は、印刷ジョブを生成するとともに、生成した印刷ジョブをネットワーク１３を介してＭＦＰ１１へ送信する。ＭＦＰ１１は、印刷ジョブを受信して記憶装置３４に検品ジョブとして保管する。
【０１１０】
一方、クライアントＰＣ１２にて図５に示したユーザインタフェースにより、出力方法、検品ジョブとして保管する旨が指定されていない場合は、転送された出力完了後、ＪＯＢはＭＦＰ１１の記憶装置３４に保管されることなく破棄される。
【０１１１】
まず、Ｓ６０１で、ＭＦＰ１１の利用ユーザがオペレーションパネル３８を介して、検品モードへの切り替えを行い、Ｓ６０２で、検品対象の印刷物をＭＦＰ１１のＡＤＦ４０の原稿台へセットする。次に、Ｓ６０３で、ＣＰＵ３２は、スキャナユニット３６に原稿の読み取りを開始させ、Ｓ６０４ですべての原稿の読み取りが終了すると判断するまで、以下の動作をＭＦＰエージェント３０１が繰り返す。
【０１１２】
Ｓ６０５で、ＣＰＵ３２はＭＦＰエージェント３０１を実行して、原稿を１枚ずつ読み取り解析を行う。
【０１１３】
ここでは、解析方法の一例として、ＭＦＰ１１の記憶装置３４に保管してある検品ジョブの画像データとスキャナユニット３６により読み取られる画像データとをメモリ３３上でパターンマッチングにより異常を検知するものとする。
【０１１４】
続いて、上記の解析結果に基づき、Ｓ６０６で、ＣＰＵ３２は、良否判定を行い、印刷処理状態に異常がないと判断した場合は、Ｓ６０３へ戻り、次の原稿の読み取りを行う。
【０１１５】
一方、Ｓ６０６で、原稿給送に伴い、原稿自体にしわ、汚れが発生したり、印字不良、ページ抜け等の異常を検知した場合は、ＣＰＵ３２による良否判定がＮＧとなる。
【０１１６】
そこで、Ｓ６０７で、ＣＰＵ３２は、ＡＤＦ４０による原稿の読み取り動作を一時停止させ、Ｓ６０８で、オペレーションパネル３８上へ補完印刷実行を指示する音声ガイダンス７０１の処理を実行する。
【０１１７】
ここで、音声ガイダンス７０１の処理について図１２に示すフローチャートを用いて、説明を行う。
【０１１８】
図１２は、第２実施形態の印刷処理装置における第４のデータ処理手順の一例を示すフローチャートである。本例は、図４に示すＭＦＰの基本モジュール３０２による検品処理例である。なお、S1201〜S1203は各ステップを示す。また、各ステップは、ＣＰＵ３２がメモリ３３に基本モジュール３０２を記憶装置３４からロードして実行することで実現される。
【０１１９】
ＣＰＵ３２は、Ｓ１２０１で、音声ガイダンス７０１の処理として図１１に示すの音声ガイダンス１１０１の補完印刷指示をアナウンスする。次に、Ｓ１２０２で、ＣＰＵ３２は、オペレーションパネル３８のスタートボタン６３０７が押下されたことを検知したら、本処理を終了して、次の補完出力処理へ移る。
【０１２０】
一方、ＣＰＵ３２がオペレーションパネル３８のスタートボタン６３０７が押下されていないと判定した場合は、Ｓ１２０３へ進み、押下されるまで１０秒ごとに、図１１に示した音声ガイダンス１１０１を音声出力部よりアナウンスし、押下されるまで繰り返す。
【０１２１】
ここで、図９を参照して、本実施形態における補完処理の説明を行う。
【０１２２】
本実施形態による補完出力処理では、ＣＰＵ３２は、Ｓ８０１で、記憶装置３４に保管してある検品ジョブより該当ページの検索を実行する。
【０１２３】
そして、Ｓ８０２で、ＣＰＵ３２が検索を終了したら、Ｓ８０３で、該当ページ部のみの再印刷を行い、本処理を終了する。
【０１２４】
このようにして上記の補完出力処理が完了すると、Ｓ６１０で、ＣＰＵ３２は図１１に示した音声ガイダンス７０２の処理を実行する。
【０１２５】
ここで、音声ガイダンス７０２の処理について図１２に示すフローチャートを用いて、説明を行う。
【０１２６】
本実施形態における音声ガイダンス７０２の処理は、Ｓ１２０１で、ＣＰＵ３２は、図１１に示す音声ガイダンス７０２の補完動作指示をアナウンスする。そして、Ｓ１２０２で、ＣＰＵ３２がオペレーションパネル３８のスタートボタン６３０７が押下されていると判定したら、本処理を終了して、図１０に示すＳ６１１へ処理を移行する。
【０１２７】
そして、Ｓ６１１で、ＣＰＵ３２は、ユーザにより適切な補完動作（原稿の差し替え、または、挿入）がされたか否かの判定、すなわち、補完原稿が排紙トレイより取り除かれているかの判断を行う。
【０１２８】
ここで、ＣＰＵ３２がオペレーションパネル３８のスタートボタン６３０７が押下されていないと判断した場合は、Ｓ１２０３へ進む。そして、Ｓ１２０３で、オペレーションパネル３８のスタートボタン６３０７が押下されるまで、１０秒ごとに音声ガイダンス７０２を音声出力部よりアナウンスする。そして、スタートボタン６３０７が押下されるまで繰り返す。
【０１２９】
一方、Ｓ１２０２で、ＣＰＵ３２がオペレーションパネル３８のスタートボタン６３０７が押下されたと判定した場合は、図１２に示す処理を終了し、Ｓ６０３へ処理を移行する。
【０１３０】
つまり、ＣＰＵ３２がオペレーションパネル３８のスタートボタン６３０７が押下されたと判定した場合は、Ｓ６０３で、上記のユーザにより適切な補完動作（原稿の差し替え、または、挿入）がされたか否かの判定において、適切な補完動作がされている場合は、読み取り動作を再開し、次の原稿を読み取る。
【０１３１】
一方、Ｓ６１１で、ＣＰＵ３２が適切な補完動作がされていないと判断した場合、すなわち、排紙トレイ上にある補完出力した原稿が取り除かれていない場合、例えば図１１に示した警告アナウンスである音声ガイダンス１１０３を１度流す。
【０１３２】
そして、Ｓ６１０へ戻り、再度、図１１に示した音声ガイダンス１１０２の処理と、Ｓ６１１の判定を繰り返すことで、処理をＳ６０３まで戻らせる。
【０１３３】
これにより、ユーザが適切な補完動作を完了しない限り、図１０に示すＳ６１０〜Ｓ６１２までの処理を繰り返す。
【０１３４】
以上、これらの手順により、第１実施形態と同様の効果を得ることができる。
【０１３５】
〔第３実施形態〕
上記第１、第２実施形態における補完処置方法を提示する手段の実現方法として、オペレーションパネル上での各種のメッセージ表示と音声ガイダンスとを組み合わせても良い。
【０１３６】
さらには、オペレーションパネル上にてアニメーションによる指示と組み合わせても良い。
【０１３７】
さらに、前述したすべての実施形態において、検品対象の印刷物が両面原稿である場合の検査は、両面を読み取った時点で画像の良否判定を行う。あるいは、１パス両面読み取り可能なスキャナを搭載したＭＦＰにて本発明の検品補完システムを導入しても良い。
【０１３８】
また、前述したすべての実施形態の機能を実現するべく各種のデバイスを動作させるように、ＭＦＰ１１のＣＰＵ３２に格納されたプログラムに従って前記各種デバイスを動作させることによって実施したものも、本発明の範疇に含まれる。
【０１３９】
なお、上記実施形態では、ＣＰＵ３２が、スキャナユニット３６で読み取った印刷済みの用紙の画像と、この画像のページに対応する蓄積済みの画像との良否判定を行い、その結果を異なるメッセージで表示する場合について説明した。
【０１４０】
具体的には、スキャナユニット３６で読み取られた画像が印刷処理状態が悪い場合に、図８に示すＳ４０８で、図７に示した印刷処理状態が悪い用紙にメッセージ７５０１を表示した。そして、続く、Ｓ４１０で、印刷処理状態が悪い画像に対応するページの再印刷処理が完了した場合に、その再印刷処理された用紙をＡＤＦ４０から給送可能とするよう操作を要求するメッセージ７５０２を表示した。
【０１４１】
また、本実施形態では、上記のメッセージ７５０２をオペレーションパネル３８に表示することで、ユーザにその旨を通知する場合と、音声ガイドでユーザにその旨を通知する場合について説明した。しかしながら、通知処理は、これらに限らず、これらのテキストや音声とは別に、アイコン等を同時に表示することでその旨をわかりやすくユーザに通知する構成であってもよい。
【０１４２】
〔第４実施形態〕
以下、図１３に示すメモリマップを参照して本発明に係る印刷処理装置で読み取り可能なデータ処理プログラムの構成について説明する。
【０１４３】
図１３は、本発明に係る印刷処理装置で読み取り可能な各種データ処理プログラムを格納する記憶媒体のメモリマップを説明する図である。
【０１４４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１４６】
本実施形態における図８、図９、図１０、図１２に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４７】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４８】
この場合、記憶媒体から読み出されたプログラムコード自体が本発明の新規な機能を実現することになり、そのプログラムコードを記憶した記憶媒体は本発明を構成することになる。
【０１４９】
従って、プログラムの機能を有していれば、オブジェクトコード、インタプリタにより実行されるプログラム、ＯＳに供給するスクリプトデータ等、プログラムの形態を問わない。
【０１５０】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５１】
この場合、記憶媒体から読出されたプログラムコード自体が前述した実施形態の機能を実現することになり、そのプログラムコードを記憶した記憶媒体は本発明を構成することになる。
【０１５２】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１５４】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１５５】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５６】
本発明は上記実施形態に限定されるものではなく、本発明の趣旨に基づき種々の変形（各実施形態の有機的な組合せを含む）が可能であり、それらを本発明の範囲から排除するものではない。
【０１５７】
本発明の様々な例と実施形態を示して説明したが、当業者であれば、本発明の趣旨と範囲は、本明細書内の特定の説明に限定されるのではない。
【図面の簡単な説明】
【０１５８】
【図１】第１実施形態を示す画像処理システムの構成を説明するブロック図である。
【図２】図１に示したＭＦＰによる画像検品処理並びに画像補完処理を説明する模式図である。
【図３】図１に示したプリンタユニットに接続可能なインサータ付きの排紙ユニットの構成を示す断面図である。
【図４】図１に示したＭＦＰ上で動作するソフトウェアモジュールの構成を示す図である。
【図５】図１に示したＰＣのＨＤにインストールされているプリンタドライバが提供する印刷設定画面の一例を示す図である。
【図６】図１に示したオペレーションパネルの一例を示す平面図である。
【図７】図６に示したＬＣＤタッチパネルに表示されるメッセージの一例を示す図である。
【図８】印刷処理装置における第１のデータ処理手順の一例を示すフローチャートである。
【図９】印刷処理装置における第２のデータ処理手順の一例を示すフローチャートである。
【図１０】印刷処理装置における第３のデータ処理手順の一例を示すフローチャートである。
【図１１】図１に示したＭＦＰのオペレーションパネルに備える音声出力部より音声出力される音声ガイダンスの一例を示す図である。
【図１２】印刷処理装置における第４のデータ処理手順の一例を示すフローチャートである。
【図１３】画印刷処理装置で読み取り可能な各種データ処理プログラムを格納する記憶媒体のメモリマップを説明する図である。
【符号の説明】
【０１５９】
１１  ＭＦＰ
１２  クライアントＰＣ
１３  ネットワーク
３２  ＣＰＵ
３３  メモリ
３６  スキャナユニット
３７  プリンタユニット
３８  オペレーションパネル
４０  ＡＤＦ
【図１】
2008160284.tif 000003
【図２】
2008160284.tif 000004
【図３】
2008160284.tif 000005
【図４】
2008160284.tif 000006
【図５】
2008160284.tif 000007
【図６】
2008160284.tif 000008
【図７】
2008160284.tif 000009
【図８】
2008160284.tif 000010
【図９】
2008160284.tif 000011
【図１０】
2008160284.tif 000012
【図１１】
2008160284.tif 000013
【図１２】
2008160284.tif 000014
【図１３】
2008160284.tif 000015